【手続補正書】
【提出日】平成25年4月8日(2013.4.8)
【手続補正１】
【補正対象書類名】特許請求の範囲
【補正対象項目名】全文
【補正方法】変更
【補正の内容】
【特許請求の範囲】
【請求項１】
被検体に光が照射されることにより発生する音響波を受信して電気信号に変換する音響波変換部と、前記電気信号から前記被検体内の光吸収係数分布に関連する情報を取得する信号処理部と、を有する被検体情報取得装置であって、
前記音響波変換部は、
第１の光が前記被検体に照射されることにより発生した音響波を受信して第１の電気信号に変換し、
前記第１の光と照射条件および照射時刻の異なる第２の光が、前記被検体に照射されることにより発生した音響波を受信して第２の電気信号に変換し、
前記信号処理部は、
前記第１の光の前記被検体の表面における第１の照度分布と、前記第２の光の前記被検体の表面における第２の照度分布と、前記第１の電気信号と、前記第２の電気信号とに基づいて、前記第１の光および第２の光の少なくとも１つの前記被検体内の光量分布を取得し、
前記第１の電気信号および前記第１の光の前記被検体内の光量分布、ならびに、前記第２の電気信号および前記第２の光の前記被検体内の光量分布の少なくとも１つに基づいて、前記被検体内の光吸収係数分布に関連する情報を取得することを特徴とする被検体情報取得装置。
【請求項２】
前記信号処理部は、
前記第１の電気信号に基づき前記被検体内の第１の初期音圧分布を取得し、
前記第２の電気信号に基づき前記被検体内の第２の初期音圧分布を取得し、前記第１の照度分布と、前記第２の照度分布と、前記第１の初期音圧分布と、前記第２の初期音圧分布とに基づいて、前記第１の光および第２の光の少なくとも１つの前記被検体内の光量分布を取得し、
前記第１の初期音圧分布および前記第１の光の前記被検体内の光量分布、ならびに、前記第２の初期音圧分布および前記第２の光の前記被検体内の光量分布の少なくとも１つに基づいて、前記被検体内の光吸収係数分布に関連する情報を取得することを特徴とする請求項１に記載の被検体情報取得装置。
【請求項３】
前記信号処理部は、
前記被検体内の光吸収係数および散乱係数の仮の値を設定し、
前記仮の値と前記第１の照度分布と前記第２の照度分布に基づき、前記第１の光および前記第２の光の前記被検体内の仮の光量分布を取得し、
前記被検体内の特定位置における前記第１の初期音圧分布の初期音圧、および、前記特定位置における前記第２の初期音圧分布の初期音圧の比と、
前記特定位置における前記第１の光の仮の光量、および、前記特定位置における前記第２の光の仮の光量の比とを用いた最小二乗法により、
前記第１の光および前記第２の光の少なくとも１つの前記被検体内の光量分布を取得することを特徴とする請求項１または２に記載の被検体情報取得装置。
【請求項４】
前記信号処理部は、
前記最小二乗法の目的関数がゼロまたはゼロとみなせる値となるときの前記第１の光の前記被検体内の仮の光量分布および前記第２の光の前記被検体内の仮の光量分布を、前記第１の光の前記被検体内の光量分布および前記第２の光の前記被検体の光量分布として取得することを特徴とする請求項１から３のいずれか１項に記載の被検体情報取得装置。
【請求項５】
前記ゼロとみなせる値は、１．０×１０−６以下であることを特徴とする請求項４に記載の被検体情報取得装置。
【請求項６】
前記照射条件は、照射される光の方向、前記被検体の表面における光の照度分布、および被検体の表面において光が照射される位置のうち少なくとも一つを含むことを特徴とする請求項１から５のいずれか１項に記載の被検体情報取得装置。
【請求項７】
被検体に光が照射されることにより発生する音響波を受信して電気信号に変換する音響波変換部と、前記電気信号から前記被検体内の光吸収係数分布に関連する情報を取得する信号処理部と、を有する被検体情報装置であって、
前記信号処理部は、
前記光の前記被検体の表面における照度分布と、前記電気信号とに基づいて、前記光の前記被検体内の光量分布を取得し、
前記被検体内の光量分布と、前記電気信号とに基づいて、前記被検体内の光吸収係数分布に基づく情報を取得することを特徴とする被検体情報取得装置。
【請求項８】
前記信号処理部は、前記電気信号に基づいて前記被検体内の初期音圧分布を取得し、
前記光の前記被検体の表面における照度分布と、前記初期音圧分布とに基づいて前記被検体内の光量分布を取得することを特徴とする請求項７に記載の被検体情報取得装置。
【請求項９】
前記信号処理部は、
前記被検体内の光吸収係数および散乱係数の仮の値を設定し、
前記仮の値と前記照度分布とに基づいて、前記光の前記被検体内の仮の光量分布を取得し、
前記被検体内の第１の位置における前記初期音圧分布の初期音圧、および、前記第１の位置とは異なる前記被検体内の第２の位置における前記初期音圧分布の初期音圧の比と、
前記第１の位置における前記光の仮の光量、および、前記第２の位置における前記光の仮の光量の比とを用いた最小二乗法により、
前記光の前記被検体内の光量分布を取得することを特徴とする請求項７または８に記載の被検体情報取得装置。
【請求項１０】
前記信号処理部は、前記最小二乗法の目的関数がゼロまたはゼロと見なせる値となるときの前記光の前記被検体内の仮の光量分布を、前記光の前記被検体内の光量分布として取得することを特徴とする請求項７から９のいずれか１項に記載の被検体情報取得装置。
【請求項１１】
前記ゼロとみなせる値は、１．０×１０−６以下であることを特徴とする請求項１０に記載の被検体情報取得装置。
【請求項１２】
被検体に光を照射することにより発生する音響波を受信して電気信号に変換し、前記電気信号から前記被検体内の光吸収係数分布に関連する情報を取得する被検体情報取得装置の制御方法であって、
第１の光を前記被検体に照射する工程と、
前記第１の光が前記被検体に照射されることにより発生した音響波を受信して第１の電気信号を取得する工程と、
前記第１の光と照射条件および照射時刻の異なる第２の光を、前記被検体に照射する工程と、
前記第２の光が前記被検体に照射されることにより発生した音響波を受信して、第２の電気信号を取得する工程と、
前記第１の光の前記被検体の表面における第１の照度分布と、前記第２の光の前記被検体の表面における第２の照度分布と、前記第１の電気信号と、前記第２の電気信号とに基づいて、前記第１の光および第２の光の少なくとも１つの前記被検体内の光量分布を取得する工程と、
前記第１の電気信号および前記第１の光の前記被検体内の光量分布、ならびに、前記第２の電気信号および前記第２の光の前記被検体内の光量分布の少なくとも１つに基づいて、前記被検体内の光吸収係数分布に関連する情報を取得する工程とを有することを特徴とする被検体情報取得装置の制御方法。
【請求項１３】
被検体に光を照射することにより発生する音響波を受信して電気信号に変換し、前記電気信号から前記被検体内の光吸収係数分布に関連する情報を取得する被検体情報取得装置の制御方法であって、
前記光の前記被検体の表面における照度分布と、前記電気信号とに基づいて、前記光の前記被検体内の光量分布を取得する工程と、
前記被検体内の光量分布と、前記電気信号とに基づいて、前記被検体内の光吸収係数分布に基づく情報を取得する工程とを有することを特徴とする被検体情報取得装置の制御方法。
【請求項１４】
請求項１２または１３に記載の被検体情報取得装置の制御方法の各工程をコンピュータに実行させるためのプログラム。
【手続補正２】
【補正対象書類名】明細書
【補正対象項目名】発明の名称
【補正方法】変更
【補正の内容】
【発明の名称】被検体情報取得装置、被検体情報取得装置の制御方法およびプログラム
【手続補正３】
【補正対象書類名】明細書
【補正対象項目名】０００１
【補正方法】変更
【補正の内容】
【０００１】
本発明は、被検体情報取得装置、被検体情報取得装置の制御方法およびプログラムに関するものである。
【手続補正４】
【補正対象書類名】明細書
【補正対象項目名】０００９
【補正方法】変更
【補正の内容】
【０００９】
本発明は、被検体に光が照射されることにより発生する音響波を受信して電気信号に変換する音響波変換部と、電気信号から被検体内の光吸収係数分布に関連する情報を取得する信号処理部と、を有する被検体情報装置であって、音響波変換部は、第１の光が被検体に照射されることにより発生した音響波を受信して第１の電気信号に変換し、第１の光と照射条件および照射時刻の異なる第２の光が、被検体に照射されることにより発生した音響波を受信して第２の電気信号に変換し、信号処理部は、第１の光の被検体の表面における第１の照度分布と、第２の光の被検体の表面における第２の照度分布と、第１の電気信号と、第２の電気信号とに基づいて、第１の光および第２の光の少なくとも１つの被検体内の光量分布を取得し、第１の電気信号および第１の光の被検体内の光量分布、ならびに、第２の電気信号および第２の光の被検体内の光量分布の少なくとも１つに基づいて、被検体内の光吸収係数分布に関連する情報を取得する。
【手続補正５】
【補正対象書類名】明細書
【補正対象項目名】００１０
【補正方法】変更
【補正の内容】
【００１０】
また、本発明は、被検体に光を照射することにより発生する音響波を受信して電気信号に変換し、電気信号から被検体内の光吸収係数分布に関連する情報を取得する被検体情報取得装置の制御方法であって、第１の光を被検体に照射する工程と、第１の光が被検体に照射されることにより発生した音響波を受信して第１の電気信号を取得する工程と、第１の光と照射条件および照射時刻の異なる第２の光を、被検体に照射する工程と、第２の光が被検体に照射されることにより発生した音響波を受信して、第２の電気信号を取得する工程と、第１の光の被検体の表面における第１の照度分布と、第２の光の被検体の表面における第２の照度分布と、第１の電気信号と、第２の電気信号とに基づいて、第１の光および第２の光の少なくとも１つの被検体内の光量分布を取得する工程と、第１の電気信号および第１の光の被検体内の光量分布、ならびに、第２の電気信号および第２の光の被検体内の光量分布の少なくとも１つに基づいて、被検体内の光吸収係数分布に関連する情報を取得する工程とを有する。